(57)【特許請求の範囲】
【請求項１】
旗竿の基端部を差し込むことによって旗を支持する旗立て装置であって、支柱等の支持材に固定される基板と、この基板に着脱自在に装着される、旗竿が取り付けられた旗竿支持部材とからなり、上記基板は、表面上部および表面下部にそれぞれ突設された上方係止部および下方係止部を有している一方、上記旗竿支持部材には、上記上方係止部および下方係止部に外嵌されることによって旗竿支持部材を基板に装着された状態にする係止孔および係止空間がそれぞれ設けられ、上記下方係止部は、フック状に形成されていることを特徴とする旗立て装置。
【請求項２】
上記旗竿支持部材には、基板に装着された状態で基板からの離脱をロックする施錠手段が設けられていることを特徴とする請求項１記載の旗立て装置。
【発明の詳細な説明】
【０００１】
【発明の属する技術分野】
本発明は、国旗等の旗を立てるために用いられる旗立て装置に関するものであり、確実に抜け止めが可能であるとともに、他の用途にも共用し得るように改良された旗立て装置に関するものである。
【０００２】
【従来の技術】
従来、図７に示すような旗立て装置が知られている。この旗立て装置１００は、上下に長尺の取付け板１０１と、この取付け板１０１両側部から前方（図７の右方）に向けて突設された幅方向一対の側板１０２と、この側板１０２間に架橋された仕切り板１０３とからなっている。取付け板１０１の上下の端部には取付け孔１０４がそれぞれ穿設され、この取付け孔１０４に木ねじを通してねじ止めすることにより支柱等の支持材に旗立て装置１００が固定されるようになっている。
【０００３】
上記各側板１０２は、下部の水平寸法が上部のそれより短くなるように寸法設定され、これによって前方縁部が下窄みに傾斜している。かかる各側板１０２の先端縁部は、互いに接近する方向に向けて平面視で円弧状に折り曲げられて当接され、当接部分が溶接止めで一体化されてこの部分に円弧部１０５が形成されている。そして、上記仕切り板１０３は、かかる円弧部１０５に平行になるように一対の側板１０２間に差し渡されて溶接止めされ、これによって一対の側板１０２間であって仕切り板１０３と円弧部１０５との間に旗のポール２００を差し込むポール差込み孔１０６が形成されている。
【０００４】
かかる旗立て装置１００によれば、所定の支持材に取付け板１０１をねじ止めした状態でポール２００の基端部をポール差込み孔１０６に差し込むことにより、旗が斜めに立てられた状態になる。
【０００５】
【発明が解決しようとする課題】
ところで、上記のような旗立て装置１００にあっては、ポール２００は、ポール差込み孔１０６に差し込まれているだけであるため、容易に引き抜くことが可能であり、強風によって外れることがあるばかりか、盗難にも遭い易いという問題点が存在した。
【０００６】
また、普段はポールが旗立て装置１００から外されているため、例えば玄関先に無用の突起物が突出した状態になっており、家屋の景観を損なうという問題点も存在した。
【０００７】
本発明は、上記のような問題点を解決するためになされたものであり、ポールが容易に抜けないように抜け止めすることができ、これによって強風によっても外れることがなく、盗難防止にも寄与し得るとともに、旗を立てないときは景観を損なわない別の用途に用いることができる旗立て装置を提供することを目的としている。
【０００８】
【課題を解決するための手段】
請求項１記載の発明は、旗竿の基端部を差し込むことによって旗を支持する旗立て装置であって、支柱等の支持材に固定される基板と、この基板に着脱自在に装着される、旗竿が取り付けられた旗竿支持部材とからなり、上記基板は、表面上部および表面下部にそれぞれ突設された上方係止部および下方係止部を有している一方、上記旗竿支持部材には、上記上方係止部および下方係止部に外嵌されることによって旗竿支持部材を基板に装着された状態にする係止孔および係止空間がそれぞれ設けられ、上記下方係止部は、フック状に形成されていることを特徴とするものである。
【０００９】
この発明によれば、基板を所定の支持材に固定した状態で、旗竿支持部材の係止孔を基板の上方係止部に係合させるとともに、係止空間を下方係止部に外嵌することによって旗竿支持部材が基板に装着されて旗が立てられた状態になる一方、係止孔を上方係止部から外すとともに下方係止部を係止空間から外すことによって旗竿支持部材が基板から取り除かれる。このように、ワンタッチの嵌脱操作で旗竿支持部材を着脱することが可能であり、操作性の点で優れている。
【００１０】
また、下方係止部はフック状に形成されているため、旗を立てないときは旗竿支持部材を基板から外して下方係止部を外部に露出させ、この下方係止部に花を生けた花瓶や観葉植物を植設した植木鉢等の装飾品を吊り下げることが可能になり、これによって基板を目隠しした状態にすることができるため、旗を立てないときに建物の玄関先等の美観を維持する上で有効である。
【００１１】
請求項２記載の発明は、請求項１記載の発明において、上記旗竿支持部材には、基板に装着された状態で基板からの離脱をロックする施錠手段が設けられていることを特徴とするものである。
【００１２】
この発明によれば、旗竿支持部材を基板に装着した状態で、施錠手段で旗竿支持部材を基板にロックすることにより、強風による旗の飛散や旗竿の盗難が確実に防止される。
【００１３】
【発明の実施の形態】
図１は、本発明に係る旗立て装置の一実施形態を示す一部切欠き分解斜視図であり、図２は、その組立て斜視図である。また、図３は、図２のＡ−Ａ線断面図である。これらの図に示すように、旗立て装置１は、建物等の構造物（支柱等の支持材）Ｍにねじ止めで固定される基板２と、この基板２に着脱自在に装着されるポール支持部材３とからなる基本構成を有している。
【００１４】
基板２は、アルミニウム合金を原料にしてダイカスト方式で製造されたものであり、上下に長尺の板状の基板本体２１と、この基板本体２１の表面側（図１〜図３の右側）の上部から外方に向かって突設された上方係止部２２と、同下部から上方係止部２２と同一方向に突設された下方係止部２３とからなっている。
【００１５】
上記基板本体２１は、表面側の中央部が外方に向かい膨出して肉厚になった肉厚部２１ａを有しているとともに、この肉厚部２１ａの外側に所定幅寸法で周方向に延びる、正面視で逆Ｕ字形状の肉薄縁部２１ｂが形成されている。また、肉厚部２１ａには、上下方向に延びる中心線上に上下一対のねじ挿通孔２４が穿設されており、このねじ挿通孔２４に木ねじ４（図２）を通して構造物Ｍにねじ込むことにより基板２が構造物Ｍに固定されるようになっている。
【００１６】
上記上方係止部２２は、肉厚部２１ａの上縁部の幅方向中央位置に設けられている。かかる上方係止部２２は、肉厚部２１ａの両側部から競り上がるように突出した平面視で山形の支持突起２２ａと、この支持突起２２ａの先端部から上方に向かって突設された円柱状の係止突起２２ｂとからなっている。係止突起２２ｂは、ポール支持部材（旗竿支持部材）３の後述する係止孔３３ａに嵌め込まれるものである。
【００１７】
上記下方係止部２３は、肉厚部２１ａの下縁部の幅方向中央位置に設けられている。かかる下方係止部２３は、肉厚部２１ａから外方に向かって突出した角柱状の水平突起２３ａと、この水平突起２３ａの先端部から上方に向かって突設された垂直突起２３ｂと、この垂直突起２３ｂの上端部に設けられた軸心が基板本体２１に平行でかつ水平に延びる円柱状の押え円柱片２３ｃとからなっている。押え円柱片２３ｃは、上記ポール支持部材３の内周面の適所を押さえるものである。
【００１８】
上記ポール支持部材３は、図３に示すように、左端部の上下長が基板２の上下長と同一に寸法設定され、左端部から右方に向けて側面視で扇形状になるように形状設定されている。かかるポール支持部材３は、幅方向一対の扇形側板３１と、これら扇形側板３１の図１〜図３における右方の端縁間に架橋された平面視で円弧状の円弧板３２と、これら扇形側板３１および円弧板３２の上縁部を覆った天板３３とによって内部が空洞に形成され、図１〜図３における左端面に上記基板２の肉厚部２１ａに被せられる開口部３０が設けられている。
【００１９】
上記開口部３０は、ポール支持部材３の上半分を占める上部開口３０ａと、下端隅部に形成された鈎型の下部開口３０ｂとからなっている。上部開口３０ａに対応した空洞は、材料の使用量を節約するためと、上記上方係止部２２を嵌め込むためのものであり、下部開口３０ｂに対応した空洞（下方係止部２３の装着空間３４）は、上記下方係止部２３を嵌め込むためのものである。これら装着空間３４と上部開口３０ａに対応した空洞との間には、これらの間を遮断する中実部３５が設けられている。
【００２０】
上記天板３３には、ポール支持部材３の開口部３０が基板２の肉厚部２１ａに被せられた状態で係止突起２２ｂが嵌め込まれる係止孔３３ａが穿設されている。また、上記中実部３５は、下方係止部２３が装着空間３４に嵌め込まれた状態で押え円柱片２３ｃが中実部３５の図３に示す右面（誘導面３５ａ）に当接するように形状設定されている。
【００２１】
上記誘導面３５ａは、垂直面に対して上方に向かうに連れ右方に向かうように傾斜して形成され、上記押え円柱片２３ｃは、この誘導面３５ａに誘導されながら装着空間３４に嵌まり込むようになっている。
【００２２】
従って、ポール支持部材３を基板２に装着することにより、図３に示すように、扇形側板３１の開口部３０の縁部が基板２の肉薄縁部２１ｂに当接した状態になるとともに、係止突起２２ｂがポール支持部材３の係止孔３３ａに嵌まり込み、かつ、下方係止部２３が装着空間３４に嵌め込まれてその押え円柱片２３ｃが中実部３５の誘導面３５ａに当接して誘導面３５ａを基板２の方向に押圧し、これによってポール支持部材３の基板２に対する装着状態が安定するようになっている。
【００２３】
このようなポール支持部材３には、円弧板３２に沿うように旗のポール５（図２および図３）を装着するためのポール装着筒３６が設けられている。かかるポール装着筒３６の下端部には、内径寸法がポール装着筒３６の内径寸法より小さい連通孔３７が設けられ、ポール装着筒３６に嵌め込まれたポール５はこの連通孔３７の上縁部３７ａによって当り止めされるようになっている。
【００２４】
また、ポール装着筒３６には、上部開口３０ａに対向した位置に固定ねじ６を挿通するためのねじ挿通孔３６ａが穿設されているとともに、ポール５にはねじ挿通孔３６ａに対応したねじ孔５１が螺設され、ポール５をポール装着筒３６に嵌入した状態で、ねじ挿通孔３６ａを介して固定ねじ６をねじ孔５１に螺着締結することにより、ポール５がポール支持部材３に固定されるようにしている。なお、ポール５をポール支持部材３にねじ止めする代わりに接着剤で両者を固定してもよい。
【００２５】
このようなポール支持部材３において、施錠用突起（施錠手段）３８が一方の円弧板３２の下端縁部から下方に向かって突設されている。この施錠用突起３８には、例えば南京錠Ｒを装着するための錠孔３８ａが穿設されており、この錠孔３８ａを介して南京錠Ｒを施錠用突起３８に取り付けて施錠することにより、図２に示すように、ポール支持部材３は基板２に対して抜け止めされるようになっている。
図４は、本発明の作用を説明するための説明図であり、（イ）は、基板２からポール支持部材３が外された状態、（ロ）は、ポール支持部材３が基板２に装着される直前の状態、（ハ）は、ポール支持部材３が基板２に装着された状態をそれぞれ示している。
【００２６】
まず、ポール支持部材３が基板２から外された図４の（イ）に示す普段の状態では、下方係止部２３は、基板本体２１から外方に向かって突出しているとともに、垂直突起２３ｂが水平突起２３ａの先端部から上方に向かって立設されているため、物品を吊持するフックの役割を果たし得る状態になっている。
【００２７】
従って、例えば所定の草花を植え付けた植木鉢Ｂをこの下方係止部２３に吊持させることにより、草花が基板２を覆い隠して構造物Ｍの表面を美麗に飾りたてた状態になるため基板２の存在が気にならず、かえって構造物Ｍの美観を向上させる結果になり好都合である。
【００２８】
ついで、基板２にポール５を装着して旗を立てるときは、予めポール５が装着されているポール支持部材３を基板２に取り付ける。この取り付け操作は、図４の（ロ）に示すように、ポール支持部材３を基板２の斜め上方位置に位置された後、その装着空間３４を基板２の押え円柱片２３ｃに被せるようにするとともに、天板３３の係止孔３３ａを基板２の係止突起２２ｂに外嵌させるようにポール支持部材３を下に降ろす。
【００２９】
そうすると、図４の（ハ）に示すように、押え円柱片２３ｃが装着空間３４に嵌まり込むとともに、係止突起２２ｂが係止孔３３ａに嵌入し、これによってポール支持部材３が基板２に装着された状態になる。そして、ポール支持部材３が基板２に装着された状態では、ポール支持部材３およびポール５の重量に起因した中実部３５の楔効果によって誘導面３５ａが押え円柱片２３ｃから基板２の方向に向かう力を受けるため、ポール支持部材３は基板２に密着し、これによってポール支持部材３は基板２により確実に装着された状態になる。
【００３０】
また、ポール支持部材３が基板２に装着された状態で、図２に示すように、施錠用突起３８の錠孔３８ａに南京錠Ｒを取り付けて施錠することにより、ポール支持部材３は基板２から抜け止めされた状態になり、強風による旗の飛散や旗の盗難を防止する上で有効である。
【００３１】
図５は、旗立て装置１に旗が立てられた状態を示す側面図である。この図に示すように、本発明の旗立て装置１は、外嵌視が扇形状で外面に無駄な凹凸がなく非常にシンプルであり、デザイン的にも優れたものである。
【００３２】
図６は、本発明に係る旗立て装置１ａの他の実施形態を示す側面視の断面図である。この実施形態においては、基板２ａは、上下寸法が先の実施形態のものより短めに寸法設定されているとともに、下方係止部２３が下部のねじ挿通孔２４より若干上方位置に設けられている点を除いては先の実施形態の旗立て装置１と同様に構成されている。
【００３３】
また、ポール支持部材３ａは、上記下方係止部装着空間３４の下部開口に代えてボルト孔３９が螺設されている他は先の実施形態のものと略同一の構成を有している。上記ボルト孔３９は、下方係止部２３の水平突起２３ａに対向して設けられている。従って、連通孔３７を下方係止部２３に外嵌した状態で係止ボルト７をボルト孔３９に螺着して締め付けていくことにより、係止ボルト７の先端が下方係止部２３の水平突起２３ａに当止して下方係止部２３が中実部３５と係止ボルト７の先端部との間に押圧挟持された状態になるとともに、下細りの中実部３５がその楔効果で下方係止部２３の頂部と基板本体２１との間に圧入されるため、ポール支持部材３ａが基板２ａに抜け止め状態で密着されることになる。
【００３４】
なお、特に係止ボルトで締結しなくても、中実部にはポール５およびポール支持部材３ａの重量によって下方に向かう力が作用するため、上記楔効果で中実部３５が下方係止部２３と基板本体２１との間の隙間に食い込み、これによってポール支持部材３ａは、基板２ａから容易に外れなくなる。
【００３５】
この実施形態の旗立て装置１ａによれば、先の実施形態の作用効果に加えて、基板２ａの上下寸法を小さくすることができるため、その分材料コストの低減化を図ることができるとともに、ポール支持部材３ａの構造を先のものより簡単にすることが可能であり、その分製造コストの低減化に寄与することができる。
【００３６】
【発明の効果】
請求項１記載の発明によれば、基板を所定の支持材に固定した状態で、旗竿支持部材の係止孔を基板の上方係止部に係合させるとともに、係止空間を下方係止部２３に外嵌することによって旗竿支持部材が基板に装着されて旗が立てられた状態にすることができる一方、係止孔を上方係止部から外すとともに下方係止部２３を係止空間から外すことによって旗竿支持部材を基板から取り除くことが可能であり、ワンタッチの嵌脱操作で旗を立てたり外したりすることができる。
【００３７】
また、下方係止部はフック状に形成されているため、旗を立てないときは旗竿支持部材を基板から外して下方係止部を外部に露出させ、この下方係止部に花を生けた花瓶や観葉植物を植設した植木鉢等の装飾品を吊り下げることが可能になり、これによって基板を目隠し状態にすることができ、旗を立てないときに建物の玄関先等の美観を維持する上で有効である。
【００３８】
請求項２記載の発明によれば、旗竿支持部材に基板からの離脱をロックする施錠手段を設けたため、旗竿支持部材を基板に装着した状態で、施錠手段で旗竿支持部材を基板にロックすることにより、強風による旗の飛散や旗竿の盗難を確実に防止することができる。
【図面の簡単な説明】
【図１】本発明に係る旗立て装置の一実施形態を示す一部切欠き分解斜視図である。
【図２】図１の旗立て装置の組立て斜視図である。
【図３】図２のＡ−Ａ線断面図である。
【図４】本発明の作用を説明するための説明図であり、（イ）は、基板からポール支持部材が外された状態、（ロ）は、ポール支持部材が基板に装着される直前の状態、（ハ）は、ポール支持部材が基板に装着された状態をそれぞれ示している。
【図５】旗立て装置に旗が立てられた状態を示す側面図である。
【図６】本発明に係る旗立て装置の他の実施形態を示す側面視の断面図である。
【図７】従来の旗立て装置を示す斜視図である。
【符号の説明】
１，１ａ  旗立て装置  ２，２ａ  基板
２１  基板本体        ２１ａ肉厚部
２１ｂ  肉薄縁部      ２２  上方係止部
２２ａ  支持突起      ２２ｂ  係止突起
２３  下方係止部      ２３ａ  水平突起
２３ｂ  垂直突起      ２３ｃ  押え円柱片
２４  ねじ挿通孔      ３，３ａ  ポール支持部材
３０  開口部          ３０ａ  上部開口
３０ｂ  下部開口      ３１  扇形側板
３２  円弧板          ３３  天板
３３ａ  係止孔        ３４  下方係止部装着空間
３５  中実部          ３５ａ  誘導面
３６  ポール装着筒    ３６ａ  ねじ挿通孔
３７  連通孔          ３８  施錠用突起
３８ａ  錠孔          ３９  ボルト孔
４    木ねじ          ５  ポール
５１  ねじ孔          ６  固定ねじ
７  係止ボルト        Ｍ  構造物
Ｒ  南京錠            Ｂ  植木鉢
【図１】
0004443697.tif 000002
【図２】
0004443697.tif 000003
【図３】
0004443697.tif 000004
【図４】
0004443697.tif 000005
【図５】
0004443697.tif 000006
【図６】
0004443697.tif 000007
【図７】
0004443697.tif 000008